(57)【要約】      （修正有）【課題】ＮＦＣ認証機能付きメモリカードを、効率的かつ安全に運用できる技術を提供する。【解決手段】カードリーダシステムは、メモリカードに格納されているデータを読みだすメモリカードリーダ部と、メモリカードと通信を行う近距離無線通信部と、メモリカードがロック状態又はアンロック状態であることを報知する報知部と、メモリカードの認証情報が記憶されている記憶部と、近距離無線通信部を介して検知したメモリカードに、メモリカードの認証情報及びロック又はアンロックの状態情報の送信を指示し、受信した認証情報及び記憶されている認証情報に基づいてメモリカードを認証し、受信した状態情報に基づいてメモリカードがロックされているかを判定し、メモリカードが、正しく認証され、ロックされており、かつ、メモリカードリーダ部に挿入されている場合、メモリカードをアンロックにした後にアンロック状態であることを報知する制御部とを有する。【選択図】図１
2019101613.tif 000002
【特許請求の範囲】
【請求項１】
近距離無線通信を用いた認証及び操作により、格納されているデータの読み出し及び複製がロック又はアンロックされるメモリカードのためのカードリーダシステムであって、
前記メモリカードに格納されているデータを読みだすメモリカードリーダ部と、
前記メモリカードに設けられた近距離無線通信部と通信を行う近距離無線通信部と、
前記メモリカードがロック状態又はアンロック状態であることを報知する報知部と、
前記メモリカードの認証情報が記憶されている記憶部と、
前記近距離無線通信部を介して、前記メモリカードを検知すると、検知したメモリカードに、前記メモリカードの認証情報及びロック又はアンロックの状態情報の送信を指示し、前記検知したメモリカードから前記認証情報及び前記状態情報を受信し、受信した認証情報及び前記記憶部に記憶されている認証情報に基づいて前記検知したメモリカードを認証し、受信した状態情報に基づいて前記検知されたメモリカードがロックされているかを判定し、前記検知されたメモリカードが、正しく認証され、ロックされており、かつ、前記メモリカードリーダ部に挿入されている場合、前記検知したメモリカードをアンロックにした後に前記報知部により前記検知したメモリカードがアンロック状態であることを報知する制御部と
を有するカードリーダシステム。
【請求項２】
ガジェットが、前記メモリカードリーダ部と、前記近距離無線通信部と、前記報知部とを備え、
情報処理装置が、前記記憶部と、前記制御部とを備える
請求項１に記載のカードリーダシステム。
【請求項３】
前記近距離無線通信部は、前記ガジェットの外面と近接するメモリカードの近距離無線通信部と通信可能に構成されており、
前記制御部は、前記近距離無線通信部を介して、前記メモリカードを検知すると、前記メモリカードの認証情報及びロック又はアンロックの状態情報の送信を指示し、検知したメモリカードから前記認証情報及び前記状態情報を受信し、受信した認証情報及び前記記憶部に記憶されている認証情報に基づいて前記検知したメモリカードを認証し、受信した状態情報に基づいて前記検知されたメモリカードがロックされているかを判定し、前記検知されたメモリカードが、正しく認証され、ロックされており、かつ、前記メモリカードリーダ部に挿入されていない場合、前記報知部により前記検知したメモリカードがロック状態であることを報知する
請求項２に記載のカードリーダシステム。
【請求項４】
近距離無線通信を用いた認証及び操作により、格納されているデータの読み出し及び複製がロック又はアンロックされるメモリカードが挿入されるガジェットであって、
前記メモリカードのデータを読みだすメモリカードリーダ部と、
前記メモリカードに設けられた近距離無線通信部と通信を行う近距離無線通信部と、
前記メモリカードがロック状態又はアンロック状態であることを報知する報知部と、
を有し、
前記近距離無線通信部は、前記ガジェットと接続された情報処理装置から、前記メモリカードの認証情報及びロック又はアンロックの状態情報を送信する指示を受信し、受信した指示を前記メモリカードに送信し、前記メモリカードから前記認証情報及び前記状態情報を受信し、前記ガジェットと接続された情報処理装置に、受信した前記認証情報及び前記状態情報を送信し、
前記報知部は、前記情報処理装置からの指示に従い、ロック状態又はアンロック状態を報知する
ガジェット。
【請求項５】
前記近距離無線通信部は、前記ガジェットの外面と近接するメモリカードの近距離無線通信部と通信可能に構成されている
請求項４に記載のガジェット。
【請求項６】
近距離無線通信を用いた認証及び操作により、格納されているデータの読み出し及び複製がロック又はアンロックされるメモリカードが挿入されるガジェットと接続される情報処理装置のプログラムであって、
前記ガジェットに設けられた近距離無線通信部を用いて、前記メモリカードを検知すると、検知したメモリカードに、前記メモリカードの認証情報及びロック又はアンロックの状態情報の送信を指示する処理と、
前記検知したメモリカードから前記認証情報及び前記状態情報を受信する処理と、
受信した認証情報と記憶している認証情報とに基づいて、前記検知したメモリカードを認証する処理と、
受信した状態情報に基づいて、前記検知されたメモリカードがロックされているかを判定する処理と、
前記検知されたメモリカードが、正しく認証され、ロックされており、かつ、前記ガジェットに設けられたメモリカードリーダ部に挿入されている場合、前記検知したメモリカードをアンロックにする処理と、
前記ガジェットに設けられた報知部を用いて、前記検知したメモリカードがアンロック状態であることを報知する処理と
を情報処理装置に実行させるプログラム。
【請求項７】
前記検知されたメモリカードが、正しく認証され、ロックされており、かつ、前記ガジェットに設けられたメモリカードリーダ部に挿入されていない場合、前記ガジェットに設けられた報知部を用いて、前記検知したメモリカードがロック状態であることを報知する処理と
を情報処理装置に実行させる請求項６に記載のプログラム。
【発明の詳細な説明】
【技術分野】
【０００１】
本発明はカードリーダシステム、ガジェット及びプログラムに関し、特に、セキュリティ機能を備えるメモリカードのためのカードリーダシステム、ガジェット及びプログラムに関する。
【背景技術】
【０００２】
近年、近距離無線通信機能（ＮＦＣ：Near field communication）が付随したメモリカードが提案されている（例えば、特許文献１）。そして、この近距離無線通信機能が付随したメモリカードの応用例として、メモリカードが紛失または盗難されたような場合、メモリカードに格納されているデータを、不正な第三者に読まれ、他の媒体にコピーされることを防止するためのセキュリティ機能を、近距離無線通信機能を用いて実行するメモリカード（以下、ＮＦＣ認証機能付きメモリカードと記載する）も提案されている。このＮＦＣ認証機能付きメモリカードは、メモリカードに格納されているデータを正常に読み出し、コピーができる状態（以下、アンロック状態と記載する）と、メモリカード内のデータのファイル名は正常に閲覧可能であるが、そのデータの読み出しやコピーは正常にできない状態（以下、ロック状態と記載する）とがある。そして、近距離無線通信機能を用いて、メモリカードをロック状態にしたり、アンロック状態にしたりすることができる。
【先行技術文献】
【特許文献】
【０００３】
【特許文献１】特許公開２０１５−１７０３５５号公報
【発明の概要】
【発明が解決しようとする課題】
【０００４】
ところで、このようなＮＦＣ認証機能付きメモリカードを用いる際、ユーザはそのＮＦＣ認証機能付きメモリカードが現在のどのような状態（ロック状態又はアンロック状態）にあるのか自ら確認をしなければ、業務の運用に支障をきたす恐れがある。例えば、業務上の理由から、ＮＦＣ認証機能付きメモリカードを他のユーザに渡して、ＮＦＣ認証機能付きメモリカードに格納されているデータを読み出しや、複製（コピー）を行わせる場合等、渡されたユーザは、ＮＦＣ認証機能付きメモリカードがロック状態であるかを知らず、データの読み出しや複製（コピー）を行い、それらの読み出しや複製が正常にできないという問題があった。
【０００５】
これらの問題は、ＮＦＣ認証機能付きメモリカードを大量に使用して業務を行う場合、業務に支障を来す恐れがある。
【０００６】
そこで、本発明は、ＮＦＣ認証機能付きメモリカードを、効率的かつ安全に運用できるカードリーダシステム、ガジェット及びプログラムを提供することにある。
【課題を解決するための手段】
【０００７】
本発明の一態様は、近距離無線通信を用いた認証及び操作により、格納されているデータの読み出し及び複製がロック又はアンロックされるメモリカードのためのカードリーダシステムであって、前記メモリカードに格納されているデータを読みだすメモリカードリーダ部と、前記メモリカードに設けられた近距離無線通信部と通信を行う近距離無線通信部と、前記メモリカードがロック状態又はアンロック状態であることを報知する報知部と、前記メモリカードの認証情報が記憶されている記憶部と、前記近距離無線通信部を介して、前記メモリカードを検知すると、検知したメモリカードに、前記メモリカードの認証情報及びロック又はアンロックの状態情報の送信を指示し、前記検知したメモリカードから前記認証情報及び前記状態情報を受信し、受信した認証情報及び前記記憶部に記憶されている認証情報に基づいて前記検知したメモリカードを認証し、受信した状態情報に基づいて前記検知されたメモリカードがロックされているかを判定し、前記検知されたメモリカードが、正しく認証され、ロックされており、かつ、前記メモリカードリーダ部に挿入されている場合、前記検知したメモリカードをアンロックにした後に前記報知部により前記検知したメモリカードがアンロック状態であることを報知する制御部とを有するカードリーダシステムである。
【０００８】
本発明の一態様は、近距離無線通信を用いた認証及び操作により、格納されているデータの読み出し及び複製がロック又はアンロックされるメモリカードが挿入されるガジェットであって、前記メモリカードのデータを読みだすメモリカードリーダ部と、前記メモリカードに設けられた近距離無線通信部と通信を行う近距離無線通信部と、前記メモリカードがロック状態又はアンロック状態であることを報知する報知部と、を有し、前記近距離無線通信部は、前記ガジェットと接続された情報処理装置から、前記メモリカードの認証情報及びロック又はアンロックの状態情報を送信する指示を受信し、受信した指示を前記メモリカードに送信し、前記メモリカードから前記認証情報及び前記状態情報を受信し、前記ガジェットと接続された情報処理装置に、受信した前記認証情報及び前記状態情報を送信し、前記報知部は、前記情報処理装置からの指示に従い、ロック状態又はアンロック状態を報知するガジェットである。
【０００９】
本発明の一態様は、近距離無線通信を用いた認証及び操作により、格納されているデータの読み出し及び複製がロック又はアンロックされるメモリカードが挿入されるガジェットと接続される情報処理装置のプログラムであって、前記ガジェットに設けられた近距離無線通信部を用いて、前記メモリカードを検知すると、検知したメモリカードに、前記メモリカードの認証情報及びロック又はアンロックの状態情報の送信を指示する処理と、前記検知したメモリカードから前記認証情報及び前記状態情報を受信する処理と、受信した認証情報と記憶している認証情報とに基づいて、前記検知したメモリカードを認証する処理と、受信した状態情報に基づいて、前記検知されたメモリカードがロックされているかを判定する処理と、前記検知されたメモリカードが、正しく認証され、ロックされており、かつ、前記ガジェットに設けられたメモリカードリーダ部に挿入されている場合、前記検知したメモリカードをアンロックにする処理と、前記ガジェットに設けられた報知部を用いて、前記検知したメモリカードがアンロック状態であることを報知する処理とを情報処理装置に実行させるプログラムである。
【発明の効果】
【００１０】
本発明によれば、ＮＦＣ認証機能付きメモリカードを、効率的かつ安全に運用できる。
【図面の簡単な説明】
【００１１】
【図１】図１は本発明の実施の形態のブロック図である。
【図２】図２は本実施の形態の動作フローチャートである。
【図３】図３はガジェット１０を示した図である。
【図４】図４はガジェット１０を示した図である。
【図５】図５はガジェット１０とコンピュータ２０との接続を示した図である。
【図６】図６はパ−ソナルコンピュータ２０のブロック図である。
【図７】図７はガジェット１０とパ−ソナルコンピュータ２０との動作フローチャートである。
【図８】図８は本実施の形態のユーザインターフェースを示した図である。
【図９】図９は本実施の形態のユーザインターフェースを示した図である。
【発明を実施するための形態】
【００１２】
本発明の実施の形態を説明する。
【００１３】
まず、本実施の形態で用いられるＮＦＣ認証機能付きメモリカードについて説明する。
【００１４】
ＮＦＣ認証機能付きメモリカードは、紛失、または盗難されたような場合、メモリカードに格納されているデータを、不正な第三者に読まれ、他の媒体にコピーされることを防止するためのセキュリティ機能が設けられている。
【００１５】
具体的に説明すると、ＮＦＣ認証機能付きメモリカードは、メモリカードに格納されているデータを正常に読み出し、コピーができる状態（以下、アンロック状態と記載する）と、メモリカードに格納されているデータのファイル名は正常に閲覧可能であるが、そのデータの読み出しやコピーは正常にできない状態（以下、ロック状態と記載する）とがある。メモリカードのロック状態からアンロック状態への遷移は、そのメモリカードの認証を管理するコントローラ及びＮＦＣリーダ・ライタによって行われる。コントローラとメモリカードとの間で、ＮＦＣリーダ・ライタ用いてセキュリティ情報（以下、認証情報と記載する）を送受信し、コントローラが認証情報を用いてＮＦＣ認証機能付きメモリカードを認証することができる場合は、ユーザがコントローラを操作することにより、メモリカードのロック状態を解除し、アンロック状態にする。一方、アンロック状態にあるメモリカードは、その状態でメモリカードリーダに一度挿入され後、そのカードリーダから抜かれた場合には、ロック状態となる。
【００１６】
このようなＮＦＣ認証機能付きメモリカードの場合、ユーザは、ＮＦＣ認証機能付きメモリカードに格納されたデータを読み出したり、複製したりする場合、ＮＦＣ認証機能付きメモリカードが、現在、アンロック状態であるかを確認した上で、データの読み出し又は複製の処理を行わなければならない。更に、ＮＦＣ認証機能付きメモリカードがロック状態である場合、ＮＦＣ認証機能付きメモリカードをアンロック状態にした後、データの読み出し又は複製の処理を行わなければ、データを正常に読み出し又は複製することができない。これらの処理は煩雑であり、ＮＦＣ認証機能付きメモリカードを使用してのデータの管理の運用に支障をきたす場合がある。
【００１７】
そこで、本実施の形態では、上述したＮＦＣ認証機能付きメモリカードを、効率的かつ安全に運用できるシステムを提供する。
【００１８】
図１は、本発明の実施の形態のブロック図である。図１中、１はメモリカードリーダ部であり、２は近距離無線通信部であり、３は報知部であり、４は記憶部であり、５は制御部である。
【００１９】
メモリカードリーダ部１は、ＮＦＣ認証機能付きメモリカードが挿入され、ＮＦＣ認証機能付きメモリカードに格納されているデータを読み出すリーダである。
【００２０】
近距離無線通信部２は、ＮＦＣ認証機能付きメモリカードと近距離無線通信を行い、ＮＦＣ認証機能付きメモリカードに格納されている、認証のために用いられる認証情報、ＮＦＣ認証機能付きメモリカードがロック状態又はアンロック状態であるかの状態情報（以下、単に状態情報と記載する場合がある）、及びＮＦＣ認証機能付きメモリカードをロック又はアンロックする指示等の情報を送受信する。
【００２１】
報知部３は、ＮＦＣ認証機能付きメモリカードがロック状態又はアンロック状態であることを、ユーザに報知するものであり、その報知方法は、光源（例えば、ＬＥＤ）の点灯や点滅、スピーカからのアラーム等が考えられる。
【００２２】
記憶部４は、ＮＦＣ認証機能付きメモリカードを認証するための認証情報が記憶されている記憶部である。認証情報は、ＮＦＣ認証機能付きメモリカード毎に異なる認証情報であり、各ＮＦＣ認証機能付きメモリカードを個別に認証する認証情報である。
【００２３】
制御部５は、近距離無線通信部２を介して受信した認証情報及び状態情報により、ＮＦＣ認証機能付きメモリカードの認証、ロック又はアンロックの制御を行う。また、制御部５は、報知部３を制御して、ＮＦＣ認証機能付きメモリカードがロック状態であるのか、又は、アンロック状態であるのかを、ユーザに報知する。また、メモリカードリーダ部１に挿入されたＮＦＣ認証機能付きメモリカードに格納されているデータを読み出す制御を行う。
【００２４】
次に、上述のように構成された実施の形態の動作を説明する。図２は、実施の形態の動作フローチャートである。
【００２５】
制御部５は、近距離無線通信部２を介して、ＮＦＣ認証機能付きメモリカードが検知することができるかを判定する（Ｓｔｅｐ１）。
【００２６】
近距離無線通信部２を介して、ＮＦＣ認証機能付きメモリカードが検知できない場合、制御部５は処理を終了する。一方、ＮＦＣ認証機能付きメモリカードが検知できた場合、制御部５は、近距離無線通信部２を介して、ＮＦＣ認証機能付きメモリカードに、認証情報と、ＮＦＣ認証機能付きメモリカードがロック状態にあるのか、アンロック状態にあるのかを示す状態情報とを送信する指示を行い、ＮＦＣ認証機能付きメモリカードの認証情報と状態情報とを取得する（Ｓｔｅｐ２）。
【００２７】
次に、制御部５は、ＮＦＣ認証機能付きメモリカードがメモリカードリーダ部１に挿入されているかを判定する（Ｓｔｅｐ３）。
【００２８】
ＮＦＣ認証機能付きメモリカードがメモリカードリーダ部１に挿入されていない場合、制御部５は処理を終了する。一方、ＮＦＣ認証機能付きメモリカードがメモリカードリーダ部１に挿入されている場合、制御部５は、メモリカードリーダ部１に挿入されているＮＦＣ認証機能付きメモリカードが認証できるかを判定する（Ｓｔｅｐ４）。認証は、受信した認証情報と、記憶部４に記憶されている認証情報とを照合することにより行われる。
【００２９】
ＮＦＣ認証機能付きメモリカードが認証できない場合、制御部５は処理を終了する。一方、ＮＦＣ認証機能付きメモリカードが正しく認証できた場合、制御部５は、取得した状態情報に基づいて、ＮＦＣ認証機能付きメモリカードのロック状態又はアンロック状態を判定する（Ｓｔｅｐ５）。
【００３０】
ＮＦＣ認証機能付きメモリカードがアンロック状態である場合、制御部５は、ＮＦＣ認証機能付きメモリカードがアンロック状態であることを、報知部３を用いて報知する（Ｓｔｅｐ８）。一方、ＮＦＣ認証機能付きメモリカードがロック状態である場合、制御部５は、近距離無線通信部２を介して、ＮＦＣ認証機能付きメモリカードをアンロック状態にする（Ｓｔｅｐ６）。
【００３１】
ＮＦＣ認証機能付きメモリカードをアンロック状態にすることができない場合（Ｓｔｅｐ７）、制御部５は処理を終了する。一方、ＮＦＣ認証機能付きメモリカードをアンロック状態にした場合、制御部５は、ＮＦＣ認証機能付きメモリカードがアンロック状態であることを、報知部３を用いて報知する（Ｓｔｅｐ８）。そして、終了する。
【００３２】
このような処理動作を、制御部５は、繰り返し行う。尚、各処理を終了する際に、その原因となった事項を、ユーザに報知するようにしても良い。
【００３３】
上述の一連の動作により、ＮＦＣ認証機能付きメモリカードのロック状態又はアンロック状態にかかわらず、メモリカードリーダ部１に挿入されたＮＦＣ認証機能付きメモリカードを、自動的に、ＮＦＣ認証機能付きメモリカードの認証処理を行ってＮＦＣ認証機能付きメモリカードをアンロック状態にするので、ユーザはＮＦＣ認証機能付きメモリカードをメモリカードリーダ部１に挿入するだけで、ＮＦＣ認証機能付きメモリカードに格納されているデータを正常に読み出し又は複製を行うことができる。一方、上述したように、アンロック状態にあるＮＦＣ認証機能付きメモリカードは、その状態でメモリカードリーダ部１から抜かれても、ロック状態となるため、ＮＦＣ認証機能付きメモリカードに格納されているデータのセキュリティは確保されることになる。
【００３４】
その結果、ＮＦＣ認証機能付きメモリカードの安全性に加えて、ＮＦＣ認証機能付きメモリカードを使用してデータの読み出し又は複製の処理を効率的に運用できる。
【００３５】
上述したメモリカードリーダ部１、近距離無線通信部２、報知部３、記憶部４及び制御部５は、全て一体で構成されていても良いし、各部が別個に設けられていても良い。
【００３６】
しかし、ＮＦＣ認証機能付きメモリカードを運用する利便性を考慮し、メモリカードリーダ部１、近距離無線通信部２及び報知部３が一つの筐体に収容されて、例えば、ひとつのガジェットとして構成しても良い。
【００３７】
そこで、以下の具体的な実施の形態では、メモリカードリーダ部１、近距離無線通信部２及び報知部３が一つの筐体に収容されて、ひとつのガジェットとして形成され、記憶部４及び制御部５がパ−ソナルコンピュータ（ＰＣ）で構成される場合を説明する。
【００３８】
図３は、メモリカードリーダ部１、近距離無線通信部２、報知部３が一つの筐体に収容されたガジェット１０を示した図である。
【００３９】
ガジェット１０の内部には、メモリカードリーダ部１１と、近距離無線通信部１２とが設けられている。そして、図４に示すように、メモリカードリーダ部１１に、ＮＦＣ認証機能付きメモリカードが挿入できるようになっている。
【００４０】
また、近距離無線通信部１２は、メモリカードリーダ部１１に挿入されたＮＦＣ認証機能付きメモリカードと通信できると共に、ガジェット１０の外面と接触するＮＦＣ認証機能付きメモリカードとも通信可能に構成されている。図３中のＮＦＣと記載された位置に、ＮＦＣ認証機能付きメモリカードを接触させることにより、ＮＦＣ認証機能付きメモリカードは近距離無線通信部１２と通信可能となる。
【００４１】
ガジェット１０の表面には、ＮＦＣ認証機能付きメモリカードが「ロック」状態の場合に点灯するＬＥＤ１３と、ＮＦＣ認証機能付きメモリカードが「アンロック」状態の場合に点灯するＬＥＤ１４とが設けられている。
【００４２】
そして、図５に示す如く、ＵＳＢコード１５により、パ−ソナルコンピュータ２０と接続される。
【００４３】
尚、メモリカードリーダ部１１はメモリカードリーダ部１に対応し、近距離無線通信部１２は近距離無線通信部２に対応し、ＬＥＤ１３及びＬＥＤ１４は報知部３に対応する。
【００４４】
次に、パ−ソナルコンピュータ２０について説明する。
【００４５】
パ−ソナルコンピュータ２０は、図６に示す如く、プロセッサ２１、メモリ（ＲＯＭやＲＡＭ）２２、記憶装置（ハードディスク、半導体ディスクなど）２３、入力装置（キーボード、マウス、タッチパネルなど）２４、表示装置２５、通信装置２６などのハードウェア資源を有する汎用のコンピュータにより構成することができる。
【００４６】
記憶装置２３には、プロセッサ２１を動作させるためのプログラムと、各ＮＦＣ認証機能付きメモリカードの認証情報とが記憶されている。
【００４７】
パ−ソナルコンピュータ２０は、記憶装置２３に格納されたプログラムがメモリ２２にロードされ、プロセッサ２１によりプログラムが実行されることにより、送受信処理、リード処理、認証処理、状態判定処理及び報知処理が実現されるものである。
【００４８】
送受信処理は、ガジェット１０とパ−ソナルコンピュータ２０との間で情報の送受信を行う処理である。
【００４９】
リード処理は、ガジェット１０に挿入されたＮＦＣ認証機能付きメモリカードに格納されているデータを読み取り又はコピーを行う処理である。
【００５０】
認証処理は、ガジェット１０の近距離無線通信部１２を介して、ＮＦＣ認証機能付きメモリカードから得られた認証情報と、記憶装置２３に記憶されている各ＮＦＣ認証機能付きメモリカードの認証情報とを照合し、ＮＦＣ認証機能付きメモリカードの認証を行う処理である。
【００５１】
状態判定処理は、ＮＦＣ認証機能付きメモリカードのロック状態又はアンロック状態を判定する処理である。
【００５２】
ロック・アンロック処理は、ＮＦＣ認証機能付きメモリカードをロックしたり、アンロックしたりする処理である。
【００５３】
報知処理は、状態判定処理に基づいて、ＬＥＤ１３及びＬＥＤ１４の点灯及び消灯を制御し、ＮＦＣ認証機能付きメモリカードのロック状態又はアンロック状態を報知する処理である。
【００５４】
尚、プロセッサ２１は制御部５に対応し、記憶装置２３は記憶部４に対応する。
【００５５】
次に、上述のように構成されたガジェット１０とパ−ソナルコンピュータ２０との動作を説明する。図７は、ガジェット１０とパ−ソナルコンピュータ２０との動作フローチャートである。
【００５６】
まず、パ−ソナルコンピュータ２０は、ガジェット１０がパ−ソナルコンピュータ２０に接続されているかを判定する（Ｓｔｅｐ１００）。
【００５７】
ガジェット１０がパ−ソナルコンピュータ２０に接続されていない場合、パ−ソナルコンピュータ２０は処理を終了する。一方、ガジェット１０がパ−ソナルコンピュータ２０に接続されている場合、パ−ソナルコンピュータ２０は、近距離無線通信部１２を介して、ＮＦＣ認証機能付きメモリカードを検知できるかを判定する（Ｓｔｅｐ１０１）。
【００５８】
ＮＦＣ認証機能付きメモリカードを検知できなかった場合、パ−ソナルコンピュータ２０は、ガジェット１０のロックのＬＥＤ１３及びアンロックのＬＥＤ１４ともに消灯させる（Ｓｔｅｐ１１０）。そして、処理を終了する。一方、ＮＦＣ認証機能付きメモリカードを検知できた場合、パ−ソナルコンピュータ２０は、検知したメモリカードの認証情報及び状態情報を、ガジェット１０の近距離無線通信部１２を介して取得する（Ｓｔｅｐ１０２）。
【００５９】
パ−ソナルコンピュータ２０は、取得したＮＦＣ認証機能付きメモリカードの認証情報に基づいて、ＮＦＣ認証機能付きメモリカードが認証できるかを判定する（Ｓｔｅｐ１０３）。
【００６０】
認証情報により、ＮＦＣ認証機能付きメモリカードを認証できない場合、パ−ソナルコンピュータ２０は、ガジェット１０のロックのＬＥＤ１３及びアンロックのＬＥＤ１４を消灯させる（Ｓｔｅｐ１１０）。そして、処理を終了する。一方、ＮＦＣ認証機能付きメモリカードの認証情報により、そのＮＦＣ認証機能付きメモリカードが認証できた場合、パ−ソナルコンピュータ２０は、状態情報に基づいて、ＮＦＣ認証機能付きメモリカードがロック状態又はアンロック状態であるかを判定する（Ｓｔｅｐ１０４）。
【００６１】
ＮＦＣ認証機能付きメモリカードがアンロック状態である場合、パ−ソナルコンピュータ２０はガジェット１０のアンロックのＬＥＤ１４を点灯させる（Ｓｔｅｐ１０９）。そして、処理を終了する。一方、ＮＦＣ認証機能付きメモリカードがロック状態である場合、パ−ソナルコンピュータ２０は、ガジェット１０のロックのＬＥＤ１３を点灯させる（Ｓｔｅｐ１０５）。
【００６２】
次に、パ−ソナルコンピュータ２０は、メモリカードリーダ部１１にＮＦＣ認証機能付きメモリカードが挿入されているかを判定する（Ｓｔｅｐ１０６）。
【００６３】
ガジェット１０のメモリカードリーダ部１１にＮＦＣ認証機能付きメモリカードが挿入されてない場合、パ−ソナルコンピュータ２０は処理を終了する。尚、この場合は、ユーザが、ＮＦＣ認証機能付きメモリカードをメモリカードリーダ部１１に挿入しないで、ＮＦＣ認証機能付きメモリカードがロック状態かアンロック状態かを知るために、ＮＦＣ認証機能付きメモリカードをガジェット１０に接触させた場合である。
【００６４】
一方、パ−ソナルコンピュータ２０は、ガジェット１０のメモリカードリーダ部１１にＮＦＣ認証機能付きメモリカードが挿入中である場合、ＮＦＣ認証機能付きメモリカードを、ガジェット１０の近距離無線通信部１２を介してアンロック状態にする（Ｓｔｅｐ１０７）。
【００６５】
パ−ソナルコンピュータ２０は、ＮＦＣ認証機能付きメモリカードをアンロック状態にすることができない場合（Ｓｔｅｐ１０８）、処理を終了する。一方、パ−ソナルコンピュータ２０は、ＮＦＣ認証機能付きメモリカードをアンロック状態にした場合（Ｓｔｅｐ１０８）、ガジェット１０のアンロックのＬＥＤ１４を点灯させる（Ｓｔｅｐ１０９）。そして、処理を終了する。
【００６６】
このような処理動作を、パ−ソナルコンピュータ２０は、繰り返し行う。
【００６７】
ユーザは、ガジェット１０のＬＥＤ１４が点灯されていることを確認した後、ガジェット１０のメモリカードリーダ部１１より、ＮＦＣ認証機能付きメモリカードに格納されているデータを、パ−ソナルコンピュータ２０に読み出し、又は、コピーを行う。
【００６８】
本実施の形態は、ＮＦＣ認証機能付きメモリカードに格納されているデータを読み出すリーダ機能と、ＮＦＣ認証機能付きメモリカードのロック状態を解除（アンロック状態）する機能とが一つのガジェットを介して行われるように構成されており、ユーザはＮＦＣ認証機能付きメモリカードをガジェットに挿入するだけで、自動的にＮＦＣ認証機能付きメモリカードのロック解除が行われ、迅速、かつ、正常にデータの読み出し又はコピーが行える。
【００６９】
また、ガジェットには、ＮＦＣ認証機能付きメモリカードのロック状態又はアンロック状態を示す報知部（ＬＥＤ１３，１４）が設けられており、ＮＦＣ認証機能付きメモリカードをガジェットに挿入することなく、接触させるだけで、ユーザは、ＮＦＣ認証機能付きメモリカードが現在どのような状態（ロック状態又はアンロック状態）であるのかを容易に確認することができる。
【００７０】
更に、パ−ソナルコンピュータ２０に、検知したＮＦＣ認証機能付きメモリカードのロック状態又はアンロック状態を、ユーザの操作によりコントロールする機能を設けることも可能である。例えば、検知したＮＦＣ認証機能付きメモリカードの現在の状態がロック状態である場合、ＮＦＣ認証機能付きメモリカードがロック状態であることを示し、ユーザの手動により、ＮＦＣ認証機能付きメモリカードをロック状態からアンロック状態に遷移させるユーザインターフェースを、コンピュータの表示装置に表示する。図８はこのようなユーザインターフェースを示した図である。図８によれば、パ−ソナルコンピュータ２０の表示装置２５に、ＮＦＣ認証機能付きメモリカードがロック状態であることを示す画像と、ＮＦＣ認証機能付きメモリカードをロック状態からアンロック状態に遷移させるロック解除ボタンが設けられている。
【００７１】
同様に、検知したＮＦＣ認証機能付きメモリカードの現在の状態がアンロック状態である場合、ＮＦＣ認証機能付きメモリカードがアンロック状態であることを示し、ユーザの手動により、ＮＦＣ認証機能付きメモリカードをアンロック状態からロック状態に遷移させるユーザインターフェースを、パ−ソナルコンピュータ２０の表示装置２５に表示する。図９はこのようなユーザインターフェースを示した図である。図９によれば、パ−ソナルコンピュータ２０の表示装置２５に、ＮＦＣ認証機能付きメモリカードがアンロック状態であることを示す画像と、ＮＦＣ認証機能付きメモリカードをアンロック状態からロック状態に遷移させるロックボタンが設けられている。
【００７２】
このような機能は、特に、ＮＦＣ認証機能付きメモリカードをガジェットに挿入せず、ガジェットの表面に接触させた状態で、ＮＦＣ認証機能付きメモリカードをロック状態にしたり、アンロック状態にしたりする場合に有効である。
【００７３】
以上好ましい実施の形態をあげて本発明を説明したが、全ての実施の形態の構成を備える必要はなく、適時組合せて実施することができるばかりでなく、本発明は必ずしも上記実施の形態に限定されるものではなく、その技術的思想の範囲内において様々に変形し実施することが出来る。
【符号の説明】
【００７４】
１      メモリカードリーダ部
２      近距離無線通信部
３      報知部
４      記憶部
５      制御部
１０    ガジェット
１１    メモリカードリーダ部
１２    近距離無線通信部
１３    ＬＥＤ
１４    ＬＥＤ
１５    ＵＳＢコード
２０    パ−ソナルコンピュータ
２１    プロセッサ
２２    メモリ
２３    記憶装置
２４    入力装置
２５    表示装置
２６    通信装置
【図１】
2019101613.tif 000003
【図２】
2019101613.tif 000004
【図３】
2019101613.tif 000005
【図４】
2019101613.tif 000006
【図５】
2019101613.tif 000007
【図６】
2019101613.tif 000008
【図７】
2019101613.tif 000009
【図８】
2019101613.tif 000010
【図９】
2019101613.tif 000011